(57)【要約】【課題】    畳表の裏面側の全体に亘って設けられる消臭機能を有するシート状部材の取り付けの改善を図った畳を提供する。  【解決手段】    畳Ｔは、畳床１と、この畳床１の上面を覆う畳表２と、この畳表２の裏面側の全体に亘って設けられる消臭機能を有するシート状部材３と、畳表２の長さ方向の縁を保護するために、畳表２の長辺側の両端縁に取り付けられた長手方向に長い長さＬ×幅Ｗ（Ｗ＜Ｌ）の畳縁４と、この畳縁４は折り返され隅止めされると共に、折り返された畳縁４は、畳床１の側壁１ａに縫着されて返し縫いが施され、畳床１に、順次上方に向かって、シート状部材３、畳表２、畳縁４が積層され、前記隅止めは、縫い糸２０により畳縁４が畳表２、シート状部材３を介して畳床１に取り付けられるものである。【選択図】図４
0003128385.tif 000002
【実用新案登録請求の範囲】
【請求項１】
畳床と、
この畳床の上面を覆う畳表と、
この畳表の裏面側の全体に亘って設けられる消臭機能を有するシート状部材と、
前記畳表の長さ方向の縁を保護するために、前記畳表の長辺側の両端縁に取り付けられた長手方向に長い長さＬで、幅Ｗ（Ｗ＜Ｌ）の畳縁と、
この畳縁は折り返され隅止めされると共に、折り返された前記畳縁は、前記畳床の側壁に縫着されて返し縫いが施され、
前記畳床に、順次上方に向かって、前記シート状部材、前記畳表、前記畳縁が積層され、前記隅止めは、縫い糸により前記畳表、前記畳縁が前記シート状部材を介して前記畳床に取り付けられる
ことを特徴とする畳。
【請求項２】
一つの畳床の上面を覆う一枚の畳表と、
この畳表の裏面側の全体に亘って設けられる消臭機能を有するシート状部材と、
このシート状部材と前記畳表とは、予め、前記畳表の長辺側の両端縁に取り付けられる長手方向に長い長さＬで、幅Ｗ（Ｗ＜Ｌ）の畳縁の前記幅Ｗ寸法内に位置する縫い糸により一体化されている
ことを特徴とするシート一体型畳表。
【請求項３】
畳床の上面を覆うと共に、畳一枚分より長い長尺状の畳表と、
この畳表の裏面側の全体に亘って設けられる消臭機能を有するシート状部材と、
このシート状部材と前記畳表とは、予め、前記畳表の長辺側の両端縁に取り付けられる長手方向に長い長さＬで、幅Ｗ（Ｗ＜Ｌ）の畳縁の前記幅Ｗ寸法内に位置する縫い糸により一体化されると共に、前記畳表が内側になるように巻かれ、巻かれた状態が解けないように、拘束する拘束部材が設けられている
ことを特徴とするシート一体型畳表。
【請求項４】
一つの畳床の上面を覆う大きさの一枚の畳表と、
この畳表の裏面側の全体に亘って設けられる消臭機能を有するシート状部材と、
このシート状部材と前記畳表とは、予め、前記畳表の長辺側の両端縁に取り付けられる長手方向に長い長さＬで、幅Ｗ（Ｗ＜Ｌ）の畳縁の前記幅Ｗ寸法内に位置する縫い糸により一体化されると共に、前記畳表が内側になるように巻かれ、巻かれた状態が解けないように、拘束する拘束部材が設けられている
ことを特徴とするシート一体型畳表。
【請求項５】
一つの畳床の上面を覆う一枚の畳表と、
この畳表の裏面側の全体に亘って設けられる消臭機能を有するシート状部材と、
このシート状部材と前記畳表とは、予め、前記畳表の長辺側の両端縁に取り付けられる長手方向に長い長さＬで、幅Ｗ（Ｗ＜Ｌ）の畳縁の前記幅Ｗ寸法内に位置する直線状に塗布された接着剤により一体化されている
ことを特徴とするシート一体型畳表。
【請求項６】
畳床の上面を覆うと共に、畳一枚分より長い長尺状の畳表と、
この畳表の裏面側の全体に亘って設けられる消臭機能を有するシート状部材と、
このシート状部材と前記畳表とは、予め、前記畳表の長辺側の両端縁に取り付けられる長手方向に長い長さＬで、幅Ｗ（Ｗ＜Ｌ）の畳縁の前記幅Ｗ寸法内に位置する直線状に塗布された接着剤により一体化されると共に、前記畳表が内側になるように巻かれ、巻かれた状態が解けないように、拘束する拘束部材が設けられている
ことを特徴とするシート一体型畳表。
【請求項７】
一つの畳床の上面を覆う大きさの一枚の畳表と、
この畳表の裏面側の全体に亘って設けられる消臭機能を有するシート状部材と、
このシート状部材と前記畳表とは、予め、前記畳表の長辺側の両端縁に取り付けられる長手方向に長い長さＬで、幅Ｗ（Ｗ＜Ｌ）の畳縁の前記幅Ｗ寸法内に位置する直線状に塗布された接着剤により一体化されると共に、前記畳表が内側になるように巻かれ、巻かれた状態が解けないように、拘束する拘束部材が設けられている
ことを特徴とするシート一体型畳表。
【考案の詳細な説明】
【技術分野】
【０００１】
本考案は、畳及びシート一体型畳表に係り、特に、畳表の裏面側の全体に亘って設けられる消臭機能を有するシート状部材の取り付けの改善を図った畳及びシート一体型畳表に関する。
【背景技術】
【０００２】
畳表の裏面側の全体に亘ってシート状部材を取り付ける場合がある（特許文献１参照）。
かかる場合、芯材（畳床）の上面に保護シート（シート状部材）を置き、この保護シート（シート状部材）を芯材（畳床）を貫通する糸で縫い合わせ、その後、畳表を芯材（畳床）に縫着するようにしており、手間を要するという問題点があった。
これを改善するために、芯材（畳床）の上面に保護シート（シート状部材）、保護シート（シート状部材）の上面に畳表を置き、これらを同時に縫着することも考えられるが、縫着する糸が露出し、外観上好ましくないという問題点があった。
【特許文献１】実用新案登録第２５７７７５７号
【考案の開示】
【考案が解決しようとする課題】
【０００３】
本考案は、前記した問題点を除去するようにした畳及びシート一体型畳表を提供することを目的としている。
【課題を解決するための手段】
【０００４】
前記した目的を達成するための本考案の畳は、畳床と、この畳床の上面を覆う畳表と、この畳表の裏面側の全体に亘って設けられる消臭機能を有するシート状部材と、前記畳表の長さ方向の縁を保護するために、前記畳表の長辺側の両端縁に取り付けられた長手方向に長い長さＬで、幅Ｗ（Ｗ＜Ｌ）の畳縁と、この畳縁は折り返され隅止めされると共に、折り返された前記畳縁は、前記畳床の側壁に縫着されて返し縫いが施され、前記畳床に、順次上方に向かって、前記シート状部材、前記畳表、前記畳縁が積層され、前記隅止めは、縫い糸により前記畳表、前記畳縁が前記シート状部材を介して前記畳床に取り付けられるものである。
【０００５】
また、請求項２記載のシート一体型畳表は、一つの畳床の上面を覆う一枚の畳表と、この畳表の裏面側の全体に亘って設けられる消臭機能を有するシート状部材と、このシート状部材と前記畳表とは、予め、前記畳表の長辺側の両端縁に取り付けられる長手方向に長い長さＬで、幅Ｗ（Ｗ＜Ｌ）の畳縁の前記幅Ｗ寸法内に位置する縫い糸により一体化されているものである。
【０００６】
また、請求項３記載のシート一体型畳表は、畳床の上面を覆うと共に、畳一枚分より長い長尺状の畳表と、この畳表の裏面側の全体に亘って設けられる消臭機能を有するシート状部材と、このシート状部材と前記畳表とは、予め、前記畳表の長辺側の両端縁に取り付けられる長手方向に長い長さＬで、幅Ｗ（Ｗ＜Ｌ）の畳縁の前記幅Ｗ寸法内に位置する縫い糸により一体化されると共に、前記畳表が内側になるように巻かれ、巻かれた状態が解けないように、拘束する拘束部材が設けられているものである。
【０００７】
また、請求項４記載のシート一体型畳表は、一つの畳床の上面を覆う大きさの一枚の畳表と、この畳表の裏面側の全体に亘って設けられる消臭機能を有するシート状部材と、このシート状部材と前記畳表とは、予め、前記畳表の長辺側の両端縁に取り付けられる長手方向に長い長さＬで、幅Ｗ（Ｗ＜Ｌ）の畳縁の前記幅Ｗ寸法内に位置する縫い糸により一体化されると共に、前記畳表が内側になるように巻かれ、巻かれた状態が解けないように、拘束する拘束部材が設けられているものである。
【０００８】
また、請求項５記載のシート一体型畳表は、一つの畳床の上面を覆う一枚の畳表と、この畳表の裏面側の全体に亘って設けられる消臭機能を有するシート状部材と、このシート状部材と前記畳表とは、予め、前記畳表の長辺側の両端縁に取り付けられる長手方向に長い長さＬで、幅Ｗ（Ｗ＜Ｌ）の畳縁の前記幅Ｗ寸法内に位置する直線状に塗布された接着剤により一体化されているものである。
【０００９】
また、請求項６記載のシート一体型畳表は、畳床の上面を覆うと共に、畳一枚分より長い長尺状の畳表と、この畳表の裏面側の全体に亘って設けられる消臭機能を有するシート状部材と、このシート状部材と前記畳表とは、予め、前記畳表の長辺側の両端縁に取り付けられる長手方向に長い長さＬで、幅Ｗ（Ｗ＜Ｌ）の畳縁の前記幅Ｗ寸法内に位置する直線状に塗布された接着剤により一体化されると共に、前記畳表が内側になるように巻かれ、巻かれた状態が解けないように、拘束する拘束部材が設けられているものである。
【００１０】
また、請求項７記載のシート一体型畳表は、一つの畳床の上面を覆う大きさの一枚の畳表と、この畳表の裏面側の全体に亘って設けられる消臭機能を有するシート状部材と、このシート状部材と前記畳表とは、予め、前記畳表の長辺側の両端縁に取り付けられる長手方向に長い長さＬで、幅Ｗ（Ｗ＜Ｌ）の畳縁の前記幅Ｗ寸法内に位置する直線状に塗布された接着剤により一体化されると共に、前記畳表が内側になるように巻かれ、巻かれた状態が解けないように、拘束する拘束部材が設けられているものである。
【考案の効果】
【００１１】
請求項１記載の畳によれば、畳床に、順次上方に向かって、シート状部材、畳表、畳縁が積層され、隅止めは、縫い糸により畳縁が、畳表、シート状部材を介して畳床に取り付けられるため、折り返された畳縁が畳床の側壁に縫着されて返し縫いされ、該縫い糸が隠れ、外観上違和感を与えないと共に、該縫い糸が外方に露出しないため、損傷を受けず、畳表とシート状部材との結合を良好に保つことができる。
【００１２】
また、請求項２記載のシート一体型畳表によれば、シート状部材と畳表とは、予め、前記畳表の長辺側の両端縁に取り付けられる長手方向に長い長さＬで、幅Ｗ（Ｗ＜Ｌ）の畳縁の前記幅Ｗ寸法内に位置する縫い糸により一体化されているため、前記縫い糸は、畳縁が畳表に縫着して取り付けた際、隠れて外観上違和感を与えないと共に、前記縫い糸が外方に露出しないため、損傷を受けず、畳表とシート状部材との結合を良好に保つことができ、しかも、畳床に取り付ける際、シート状部材と畳表とは、予め、一体化されているため、シート状部材と畳表とのずれもなく、畳床への取り付け作業が簡単である。
【００１３】
また、請求項３記載のシート一体型畳表によれば、シート状部材と長尺状の畳表とは、予め、前記畳表の長辺側の両端縁に取り付けられる長手方向に長い長さＬで、幅Ｗ（Ｗ＜Ｌ）の畳縁の前記幅Ｗ寸法内に位置する縫い糸により一体化されているため、前記縫い糸は、畳縁が畳表に縫着して取り付けた際、隠れ外観上違和感を与えないと共に、前記縫い糸が外方に露出しないため、損傷を受けず、畳表とシート状部材との結合を良好に保つことができ、しかも、畳床に取り付ける際、シート状部材と畳表とは、予め、一体化されているため、シート状部材と畳表とのずれもなく、畳床への取り付け作業が簡単で、更に、畳表が内側になるように巻かれ、巻かれた状態が解けないように、拘束部材で拘束するため、場所を取らず、更に、巻かれた状態において、畳表は、シート状部材を介在するため、畳表同士が接触し、畳表への損傷を防ぐことができる。
【００１４】
また、請求項４記載のシート一体型畳表によれば、シート状部材と畳表とは、予め、前記畳表の長辺側の両端縁に取り付けられる長手方向に長い長さＬで、幅Ｗ（Ｗ＜Ｌ）の畳縁の前記幅Ｗ寸法内に位置する縫い糸により一体化されているため、前記縫い糸は、畳縁が畳表に縫着して取り付けた際、隠れ外観上違和感を与えないと共に、前記縫い糸が外方に露出しないため、損傷を受けず、畳表とシート状部材との結合を良好に保つことができ、しかも、畳床に取り付ける際、シート状部材と畳表とは、予め、一体化されているため、シート状部材と畳表とのずれもなく、畳床への取り付け作業が簡単で、更に、畳表が内側になるように巻かれ、巻かれた状態が解けないように、拘束部材で拘束するため、場所を取らず、更に、巻かれた状態において、畳表は、シート状部材を介在するため、畳表同士が接触し、畳表への損傷を防ぐことができる。
【００１５】
また、請求項５記載のシート一体型畳表によれば、シート状部材と畳表とは、予め、前記畳表の長辺側の両端縁に取り付けられる長手方向に長い長さＬで、幅Ｗ（Ｗ＜Ｌ）の畳縁の前記幅Ｗ寸法内に位置する直線状に塗布された接着剤により一体化されているため、前記接着剤は、畳縁が畳表に縫着して取り付けた際、隠れ外観上違和感を与えないと共に、前記接着剤が外方に露出しないため、損傷を受けず、畳表とシート状部材との結合を良好に保つことができ、しかも、畳床に取り付ける際、シート状部材と畳表とは、予め、一体化されているため、シート状部材と畳表とのずれもなく、畳床への取り付け作業が簡単である。
【００１６】
また、請求項６記載のシート一体型畳表によれば、シート状部材と長尺状の畳表とは、予め、前記畳表の長辺側の両端縁に取り付けられる長手方向に長い長さＬで、幅Ｗ（Ｗ＜Ｌ）の畳縁の前記幅Ｗ寸法内に位置する直線状に塗布された接着剤により一体化されているため、前記接着剤は、畳縁が畳表に縫着して取り付けた際、隠れ外観上違和感を与えないと共に、前記接着剤が外方に露出しないため、損傷を受けず、畳表とシート状部材との結合を良好に保つことができ、しかも、畳床に取り付ける際、シート状部材と畳表とは、予め、一体化されているため、シート状部材と畳表とのずれもなく、畳床への取り付け作業が簡単で、更に、畳表が内側になるように巻かれ、巻かれた状態が解けないように、拘束部材で拘束するため、場所を取らず、更に、巻かれた状態において、畳表は、シート状部材を介在するため、畳表同士が接触し、畳表への損傷を防ぐことができる。
【００１７】
また、請求項７記載のシート一体型畳表によれば、シート状部材と畳表とは、予め、前記畳表の長辺側の両端縁に取り付けられる長手方向に長い長さＬで、幅Ｗ（Ｗ＜Ｌ）の畳縁の前記幅Ｗ寸法内に位置する直線状に塗布された接着剤により一体化されているため、前記接着剤は、畳縁が畳表に縫着して取り付けた際、隠れ外観上違和感を与えないと共に、前記接着剤が外方に露出しないため、損傷を受けず、畳表とシート状部材との結合を良好に保つことができ、しかも、畳床に取り付ける際、シート状部材と畳表とは、予め、一体化されているため、シート状部材と畳表とのずれもなく、畳床への取り付け作業が簡単で、更に、畳表が内側になるように巻かれ、巻かれた状態が解けないように、拘束部材で拘束するため、場所を取らず、更に、巻かれた状態において、畳表は、シート状部材を介在するため、畳表同士が接触し、畳表への損傷を防ぐことができる。
【考案を実施するための最良の形態】
【００１８】
本考案の一実施例である畳及びシート一体型畳表を図面を参照して説明する。
図１〜図７において、Ｔは畳で、畳Ｔは、畳床１と、この畳床１の上面を覆う畳表２と、この畳表２の裏面側の全体に亘って設けられる消臭機能を有するシート状部材３とから、概略的に構成されている。
【００１９】
畳床１は、例えば、発泡部材１０、軟質繊維部材１１を接着剤を介して積層されて構成しても良いし、また、図示しないが、藁単独で構成しても良いし、更に、図示しないが、藁と藁との間に発泡部材を介在する構成でも良い。
また、消臭機能を有するシート状部材３は、例えば、活性炭粒子を含む消臭剤を点在した繊維シートから構成され、全面にわたり消臭機能を具備し、通気性を有するものでも、また、有限会社ティー・エル・シー製  商品名『三清畳シート』でも良い。該商品名『三清畳シート』は、生ごみの臭い、タバコの臭い、生活臭などの「悪臭の成分」を、光、電気を使わず、「化学反応」と「触媒作用」で、『吸着』『分解』して消臭機能を発揮する。更に、消臭機能を有するシート状部材３は、例えば、特許第３７２８３３１号に開示されている「ガラス繊維織物のガラス繊維の周囲にポリテトラフルオロエチレン微粒子が連通した隙間のある多孔質状に付着されているとともに、前記ポリテトラフルオロエチレン微粒子の隙間間に光触媒粒子が保持されている空気浄化用シート」でも良く、該空気浄化用シートは、光があたる場所に置くだけでその周囲の空気中に含まれる悪臭を除去することができる。
【００２０】
また、４は畳縁で、畳縁４は、畳表２の長さ方向の縁を保護するために、畳表２の長辺側の両端縁に取り付けられる絹、麻、木綿、化学繊維などて作られる布で、長手方向に長い長さＬで、幅Ｗ（Ｗ＜Ｌ）を有している。
この畳縁４は図４（ａ）に示すように、折り返され隅止めされると共に、折り返された畳縁４は、図４（ｂ）に示すように、畳床１の側壁１ａに縫着されて返し縫いが施されるようになっている。この隅止め（すまどめ）、返し縫い（かえしぬい）の各作業は、図示しない機械による自動化でも良いし、また、人の手によっても良い。
【００２１】
そして、図４（ａ）（ｂ）に示すように、畳床１に、順次上方に向かって、シート状部材３、畳表２、畳縁４が積層され、前記隅止めは、縫い糸２０により畳縁４が畳表２、シート状部材３を介して畳床１に取り付けられるようになっている。
その結果、この畳Ｔによれば、畳床１に、順次上方に向かって、シート状部材３、畳表２、畳縁４が積層され、隅止めは、縫い糸２０により畳縁４が、畳表２、シート状部材３を介して畳床１に取り付けられるため、折り返された畳縁４が畳床１の側壁１ａに縫着されて返し縫いされ、該縫い糸２０が隠れ、外観上違和感を与えないと共に、該縫い糸が外方に露出しないため、損傷を受けず、畳表２とシート状部材３との結合を良好に保つことができる。
【００２２】
なお、上述した実施例において、シート状部材３と畳表２とは、畳床１に、置く際、それぞれ個別に置くようにしても良いが、シート状部材３と畳表２とは、予め、一体化したシート一体型畳表ＴＩとしても良い。シート一体型畳表ＴＩは、図５及び図６に示すように、畳一枚分より長い長尺状の畳表２をシート状部材３と一体化しても良いし、また、図７に示すように、一つの畳床１の上面を覆う大きさの一枚の畳表２をシート状部材３と一体化しても良い。
【００２３】
即ち、図５及び図６に示すシート状部材３と畳表２とは、図１、図２及び図４に示すように、畳表２の長辺側の両端縁に取り付けられる長手方向に長い長さＬで、幅Ｗ（Ｗ＜Ｌ）の畳縁４の幅Ｗ寸法内に位置する縫い糸３０（縫い糸３０に替えて、図示しない「直線状に塗布された接着剤」、例えば、ホットメルト接着剤でも良い。）により一体化されると共に、畳表２が内側になるように巻かれ、巻かれた状態が解けないように、拘束する図示しない拘束部材が設けられるようになっている。
なお、図示しない拘束部材は、例えば、外側に位置するシート状部材３の表面に掛け回した紐、バンド、接着テープ（４０）等である。
【００２４】
このようにシート状部材３と畳表２とは、畳表２の長辺側の両端縁に取り付けられる長手方向に長い長さＬで、幅Ｗ（Ｗ＜Ｌ）の畳縁４の幅Ｗ寸法内に位置する縫い糸３０（縫い糸３０に替えて、図示しない「直線状に塗布された接着剤」、例えば、ホットメルト接着剤でも良い。）により一体化されているため、縫い糸３０（縫い糸３０に替えて、図示しない「直線状に塗布された接着剤」の場合は、前記接着剤）は、畳縁４が畳表２に縫着して取り付けた際、隠れ外観上違和感を与えないと共に、縫い糸３０（縫い糸３０に替えて、図示しない「直線状に塗布された接着剤」の場合は、前記接着剤）が外方に露出しないため、損傷を受けず、畳表２とシート状部材３との結合を良好に保つことができ、しかも、畳床１に取り付ける際、シート状部材３と畳表２とは、予め、一体化されているため、シート状部材３と畳表２とのずれもなく、畳床１への取り付け作業が簡単である。
【００２５】
特に、図５に示すように、畳表２が内側になるように巻かれ、巻かれた状態が解けないように、図示しない拘束部材で拘束するため、場所を取らず、更に、巻かれた状態において、畳表２は、シート状部材３を介在するため、畳表２同士が接触し、畳表２への損傷を防ぐことができる。
また、図７に示すように一枚分の畳表２が内側になるように巻かれ、巻かれた状態が解けないように、拘束部材４０で拘束するため、場所を取らず、更に、巻かれた状態において、畳表２は、シート状部材３を介在するため、畳表２同士が接触し、畳表２への損傷を防ぐことができる。
【図面の簡単な説明】
【００２６】
【図１】図１（ａ）は、本考案の一実施例の畳の使用状態の概略的斜視図で、図１（ｂ）は、図１（ａ）の一枚の畳の概略的斜視図である。
【図２】図２は、図１（ｂ）の一枚の畳を分解して示す概略的分解斜視図である。
【図３】図３（ａ）は、図２の畳表の裏面側に取り付けられるシート状部材の取り付け前の状態の概略的断面図で、図３（ｂ）は、図３（ａ）の畳表の裏面側にシート状部材が取り付けられた状態の概略的断面図である。
【図４】図４（ａ）は、図３の畳べりが畳表に取り付けられる状態の概略的断面図であり、図４（ｂ）は、図４（ａ）の畳べりが畳表に取り付けられた状態の概略的断面図である。
【図５】図５は、畳表の裏面側にシート状部材が取り付けられた巻回状態のシート一体型畳  表が巻き戻された状態の概略的斜視図である。
【図６】図６は、図５の６−６による概略的断面図である。
【図７】図７は、一枚の畳表のシート一体型畳表の巻回状態が保持された概略的斜視図であ  る。
【符号の説明】
【００２７】
Ｔ  …畳
１  …畳床
１ａ…側壁
２  …畳表
３  …シート状部材
４  …畳縁
２０…縫い糸
【図１】
0003128385.tif 000003
【図２】
0003128385.tif 000004
【図３】
0003128385.tif 000005
【図４】
0003128385.tif 000006
【図５】
0003128385.tif 000007
【図６】
0003128385.tif 000008
【図７】
0003128385.tif 000009